(57)【要約】【課題】液晶ライトバルブを照明する光の入射角度の分布の違いを、複数の第１発光素子と複数の第２発光素子とで、小さくすることができるプロジェクターを提供する。【解決手段】光源と、前記光源から射出された光を、画像情報に応じて変調させる液晶ライトバルブと、複数の発光素子を所定の周期でパルス発光させ、複数の前記発光素子のうちの第１発光素子および第２発光素子を交互に発光させる制御部と、を有し、前記第１発光素子と前記第２発光素子とは、同じ波長の光を射出し、前記第１発光素子および前記第２発光素子は、第１発光素子群を構成し、前記第１発光素子群は、前記第１発光素子を１つ有し、前記第２発光素子を１つ有し、前記第１発光素子群において、前記第１発光素子および前記第２発光素子は、第１方向に並び、前記第１発光素子群は、複数設けられ、複数の前記第１発光素子群は、前記第１方向に連続して並んでいる。【選択図】図２
2020112699.tif 000002
【特許請求の範囲】
【請求項１】
複数の発光素子を有する光源と、
前記光源から射出された光を、画像情報に応じて変調させる液晶ライトバルブと、
複数の前記発光素子を所定の周期でパルス発光させ、複数の前記発光素子のうちの第１発光素子および第２発光素子を交互に発光させる制御部と、
を有し、
前記第１発光素子と前記第２発光素子とは、同じ波長の光を射出し、
前記第１発光素子および前記第２発光素子は、第１発光素子群を構成し、
前記第１発光素子群は、前記第１発光素子を１つ有し、前記第２発光素子を１つ有し、
前記第１発光素子群において、前記第１発光素子および前記第２発光素子は、第１方向に並び、
前記第１発光素子群は、複数設けられ、
複数の前記第１発光素子群は、前記第１方向に連続して並んでいる、プロジェクター。
【請求項２】
請求項１において、
前記第１発光素子群において、前記第１発光素子および前記第２発光素子は、この順で前記第１方向に並び、
前記第１発光素子および前記第２発光素子は、第２発光素子群を構成し、
前記第２発光素子群は、前記第１発光素子を１つ有し、前記第２発光素子を１つ有し、
前記第２発光素子において、前記第２発光素子および前記第１発光素子は、この順で前記第１方向に並び、
前記第２発光素子群は、複数設けられ、
複数の前記第２発光素子群は、前記第１方向に連続して並び、
前記第１発光素子群と前記第２発光素子群とは、前記第１方向と直交する第２方向に交互に配置されている、プロジェクター。
【請求項３】
請求項１または２において、
前記制御部は、複数の前記発光素子のうちの前記第１発光素子、前記第２発光素子、および第３発光素子を順次発光させ、
前記第１発光素子と前記第３発光素子とは、同じ波長の光を射出し、
前記第１発光素子群は、前記第３発光素子を１つ有し、
前記第１発光素子群において、前記第１発光素子、前記第２発光素子、および前記第３発光素子は、前記第１方向に並んでいる、プロジェクター。
【請求項４】
請求項１において、
前記制御部は、複数の前記発光素子のうちの前記第１発光素子、前記第２発光素子、第３発光素子、第４発光素子、第５発光素子、および第６発光素子を順次発光させ、
前記第１発光素子および前記第２発光素子は、第１波長の光を射出し、
前記第３発光素子および前記第４発光素子は、前記第１波長と異なる第２波長の光を射出し、
前記第５発光素子および前記第６発光素子は、前記第１波長および前記第２波長と異なる第３波長の光を射出し、
前記第１発光素子群は、前記第３発光素子を１つ有し、前記第４発光素子を１つ有し、前記第５発光素子を１つ有し、前記第６発光素子を１つ有し、
前記第１発光素子において、前記第１発光素子、前記第２発光素子、前記第３発光素子、前記第４発光素子、前記第５発光素子、および前記第６発光素子は、前記第１方向に連続して並んでいる、プロジェクター。
【請求項５】
請求項１ないし４のいずれか１項において、
前記第１発光素子の数と前記第２発光素子の数とは、同じである、プロジェクター。
【請求項６】
請求項１ないし５のいずれか１項において、
前記制御部は、前記光源に一定の強度の光を射出させる、プロジェクター。
【発明の詳細な説明】
【技術分野】
【０００１】
本発明は、プロジェクターに関する。
【背景技術】
【０００２】
高輝度で小型のプロジェクターに対するニーズが高まっており、従来のランプに代えて半導体発光素子を光源として用いることが検討されている。しかし、半導体発光素子では、発光量の増大を狙って駆動電流量を増やすと発光効率が低下する、いわゆるドループ現象が発生する。
【０００３】
ドループ現象を抑制して発光量を増大させるには、発光素子が熱を帯びることを防ぐことが効果的である。この観点から、半導体発光素子では、連続的に電流を流して連続発光させるよりも、間欠的に電流を流してパルス発光させた方が、時間当たりの発光量を増大させることができる。
【０００４】
例えば特許文献１には、複数のＬＥＤ（Light Emitting Diode）チップが２つのグループに分けられており、グループ単位で電力供給が行われることが記載されている。
【先行技術文献】
【特許文献】
【０００５】
【特許文献１】特開２００４−２２６６１４号公報
【発明の概要】
【発明が解決しようとする課題】
【０００６】
しかしながら、液晶ライトバルブは、液晶ライトバルブを照明する光の入射角度の分布によって、透過率やコントラストなどの表示特性が変化する。そのため、液晶ライトバルブを照明する光の入射角度の分布の違いが、第１グループと第２グループとで小さいことが望ましい。第１グループと第２グループとで入射角度の分布が大きく異なると、液晶ライトバルブの表示特性が大きく変化し、フリッカーの発生や画質の低下を招く。
【課題を解決するための手段】
【０００７】
本発明に係るプロジェクターの一態様は、
複数の発光素子を有する光源と、
前記光源から射出された光を、画像情報に応じて変調させる液晶ライトバルブと、
複数の前記発光素子を所定の周期でパルス発光させ、複数の前記発光素子のうちの第１発光素子および第２発光素子を交互に発光させる制御部と、
を有し、
前記第１発光素子と前記第２発光素子とは、同じ波長の光を射出し、
前記第１発光素子および前記第２発光素子は、第１発光素子群を構成し、
前記第１発光素子群は、前記第１発光素子を１つ有し、前記第２発光素子を１つ有し、
前記第１発光素子群において、前記第１発光素子および前記第２発光素子は、第１方向に並び、
前記第１発光素子群は、複数設けられ、
複数の前記第１発光素子群は、前記第１方向に連続して並んでいる。
【０００８】
前記プロジェクターの一態様において、
前記第１発光素子群において、前記第１発光素子および前記第２発光素子は、この順で前記第１方向に並び、
前記第１発光素子および前記第２発光素子は、第２発光素子群を構成し、
前記第２発光素子群は、前記第１発光素子を１つ有し、前記第２発光素子を１つ有し、
前記第２発光素子において、前記第２発光素子および前記第１発光素子は、この順で前記第１方向に並び、
前記第２発光素子群は、複数設けられ、
複数の前記第２発光素子群は、前記第１方向に連続して並び、
前記第１発光素子群と前記第２発光素子群とは、前記第１方向と直交する第２方向に交互に配置されていてもよい。
【０００９】
前記プロジェクターの一態様において、
前記制御部は、複数の前記発光素子のうちの前記第１発光素子、前記第２発光素子、および第３発光素子を順次発光させ、
前記第１発光素子と前記第３発光素子とは、同じ波長の光を射出し、
前記第１発光素子群は、前記第３発光素子を１つ有し、
前記第１発光素子群において、前記第１発光素子、前記第２発光素子、および前記第３発光素子は、前記第１方向に並んでいてもよい。
【００１０】
前記プロジェクターの一態様において、
前記制御部は、複数の前記発光素子のうちの前記第１発光素子、前記第２発光素子、第３発光素子、第４発光素子、第５発光素子、および第６発光素子を順次発光させ、
前記第１発光素子および前記第２発光素子は、第１波長の光を射出し、
前記第３発光素子および前記第４発光素子は、前記第１波長と異なる第２波長の光を射出し、
前記第５発光素子および前記第６発光素子は、前記第１波長および前記第２波長と異なる第３波長の光を射出し、
前記第１発光素子群は、前記第３発光素子を１つ有し、前記第４発光素子を１つ有し、前記第５発光素子を１つ有し、前記第６発光素子を１つ有し、
前記第１発光素子において、前記第１発光素子、前記第２発光素子、前記第３発光素子、前記第４発光素子、前記第５発光素子、および前記第６発光素子は、前記第１方向に連続して並んでいる。
【００１１】
前記プロジェクターの一態様において、
前記第１発光素子の数と前記第２発光素子の数とは、同じであってもよい。
【００１２】
前記プロジェクターの一態様において、
前記制御部は、前記光源に一定の強度の光を射出させてもよい。
【図面の簡単な説明】
【００１３】
【図１】第１実施形態に係るプロジェクターを模式的に示す図。
【図２】第１実施形態に係るプロジェクターの光源を模式的に示す平面図。
【図３】第１実施形態に係るプロジェクターの第１発光素子のパルス発光を説明するための図。
【図４】第１実施形態に係るプロジェクターの第２発光素子のパルス発光を説明するための図。
【図５】第１実施形態に係るプロジェクターの第１発光素子および第２発光素子のパルス発光を説明するための図。
【図６】第１実施形態の第１変形例に係るプロジェクターの光源を模式的に示す平面図。
【図７】第１実施形態の第１変形例に係るプロジェクターの第１発光素子のパルス発光を説明するための図。
【図８】第１実施形態の第１変形例に係るプロジェクターの第２発光素子のパルス発光を説明するための図。
【図９】第１実施形態の第１変形例に係るプロジェクターの第３発光素子のパルス発光を説明するための図。
【図１０】第１実施形態の第１変形例に係るプロジェクターの第１発光素子、第２発光素子、および第３発光素子のパルス発光を説明するための図。
【図１１】第１実施形態の第２変形例に係るプロジェクターの光源を模式的に示す平面図。
【図１２】第１実施形態の第２変形例に係るプロジェクターの光源を模式的に示す断面図。
【図１３】第１実施形態の第３変形例に係るプロジェクターの光源を模式的に示す平面図。
【図１４】第１実施形態の第４変形例に係るプロジェクターの光源を模式的に示す平面図。
【図１５】第２実施形態に係るプロジェクターの光源を模式的に示す平面図。
【図１６】第２実施形態に係るプロジェクターの第１発光素子および第２発光素子のパルス発光を説明するための図。
【図１７】第２実施形態に係るプロジェクターの第３発光素子および第４発光素子のパルス発光を説明するための図。
【図１８】第２実施形態に係るプロジェクターの第５発光素子および第６発光素子のパルス発光を説明するための図。
【図１９】第２実施形態に係るプロジェクターの第１発光素子、第２発光素子、第３発光素子、第４発光素子、第５発光素子、および第６発光素子のパルス発光を説明するための図。
【図２０】第３実施形態に係るプロジェクターを模式的に示す図。
【図２１】実施例の第１発光素子から射出された光の角度分布を示す図。
【図２２】実施例の第２発光素子から射出された光の角度分布を示す図。
【図２３】比較例の第１発光素子から射出された光の角度分布を示す図。
【図２４】比較例の第２発光素子から射出された光の角度分布を示す図。
【発明を実施するための形態】
【００１４】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１５】
１．  第１実施形態
１．１．  プロジェクター
まず、第１実施形態に係るプロジェクターについて、図面を参照しながら説明する。図１は、第１実施形態に係るプロジェクター１００を模式的に示す図である。なお、図１では、互いに直交する３軸として、Ｘ軸、Ｙ軸、およびＺ軸を図示している。
【００１６】
プロジェクター１００は、図１に示すように、例えば、光源１０と、コリメートレンズ２０と、平行化レンズ２２と、レンズアレイ３０，３２と、重畳レンズ４０と、液晶ライトバルブ５０と、投射レンズ６０と、制御部７０と、を有している。
【００１７】
光源１０は、光を射出する。コリメートレンズ２０は、光源１０から射出された光を略平行化させる。レンズアレイ３０，３２は、コリメートレンズ２０から射出された光の強度分布を均一化させる。レンズアレイ３０は、複数のレンズ３０ａから構成されている。レンズアレイ３２は、複数のレンズ３２ａから構成されている。重畳レンズ４０は、レン
ズアレイ３０，３２から射出された光を重畳させる。平行化レンズ２２は、重畳レンズ４０から射出された光の広がりを抑えて液晶ライトバルブ５０に入射させる。
【００１８】
液晶ライトバルブ５０は、光源１０から射出されて液晶ライトバルブ５０に入射した光を、画像情報に応じて変調させる光変調素子である。図示の例では、液晶ライトバルブ５０には、重畳レンズ４０から射出された光が入射する。液晶ライトバルブ５０は、例えば、光源１０から射出された光を透過させる透過型の液晶ライトバルブである。
【００１９】
投射レンズ６０は、液晶ライトバルブ５０によって形成された像、すなわち画像を、拡大して、図示せぬスクリーンに投射させる。これにより、スクリーンに拡大された画像が表示される。
【００２０】
制御部７０は、光源１０を制御する。制御部７０は、例えば、光源１０を駆動させる駆動回路を含んで構成されている。
【００２１】
ここで、図２は、光源１０を模式的に示す平面図である。なお、図２では、互いに直交する３軸として、Ｘ軸、Ｙ軸、およびＺ軸を図示している。
【００２２】
光源１０は、図２に示すように、複数の発光素子１３を有する。発光素子１３は、半導体発光素子である。発光素子１３は、例えば、ＧａＮ等のナノサイズの柱状結晶体を有するナノコラム発光素子である。ナノコラム発光素子は、柱状結晶体の組成、構造、大きさ、配列形態等を制御することによって、所定の波長や配光角の光を射出することができる。
【００２３】
なお、発光素子１３は、ナノコラム発光素子に限らず、例えば、ＬＥＤ、ＯＬＥＤ（Organic Light Emitting Diode）、ＶＣＳＥＬ（Vertical Cavity Surface Emitting Laser）、ＬＤ（Laser Diode）、ＳＬＤ（Super Luminescent diode）などであってもよい。ただし、面状の光射出面を形成し易い点で、発光素子１３は、ナノコラム発光素子、ＬＥＤ、ＯＬＥＤである方が好ましい。
【００２４】
光源１０は、基部１１を有する。発光素子１３は、基部１１の配置面１２に配置されている。図２に示す例では、配置面１２の形状は、正方形である。図２に示す例では、発光素子１３の形状は、Ｘ軸に沿う辺およびＹ軸に沿う辺を有する正方形である。
【００２５】
制御部７０は、複数の発光素子１３を所定の周期で発光させ、複数の発光素子１３のうちの第１発光素子１３ａおよび第２発光素子１３ｂを、交互に発光させる。図示の例では、複数の発光素子１３は、第１発光素子１３ａおよび第２発光素子１３ｂのうちのいずれかである。
【００２６】
第１発光素子１３ａおよび第２発光素子１３ｂは、同じ色の色光を射出する。第１発光素子１３ａおよび第２発光素子１３ｂは、ともに赤色光を射出してもよいし、ともに緑色光を射出してもよいし、ともに青色光を射出してもよい。第１発光素子１３ａと第２発光素子１３ｂとは、同じ波長の光を射出する。
【００２７】
第１発光素子１３ａは、複数設けられている。第２発光素子１３ｂは、複数設けられている。複数の発光素子１３は、Ｘ軸およびＹ軸に沿ってマトリックス状に設けられている。
【００２８】
第１発光素子１３ａおよび第２発光素子１３ｂは、第１発光素子群１４を構成している。第１発光素子群１４は、第１発光素子１３ａを１つ有している。第１発光素子群１４は
、第２発光素子１３ｂを１つ有している。第１発光素子群１４において、第１発光素子１３ａおよび第２発光素子１３ｂは、第１方向に並んでいる。図示の例では、第１発光素子１３ａおよび第２発光素子１３ｂは、第１発光素子１３ａおよび第２発光素子１３ｂが第１方向に並んで構成される第１発光素子群１４に属している。第１方向は、例えば、＋Ｘ軸方向である。第１発光素子群１４において、例えば、第１発光素子１３ａおよび第２発光素子１３ｂは、この順で＋Ｘ軸方向に並んでいる。第１発光素子群１４において、例えば、第１発光素子１３ａの中心および第２発光素子１３ｂの中心は、＋Ｘ軸方向に並んでいる。
【００２９】
第１発光素子群１４は、複数設けられている。複数の第１発光素子群１４は、＋Ｘ軸方向に連続して並んでいる。複数の第１発光素子群１４において、発光素子１３ａ，１３ｂの並び順は同じである。
【００３０】
ここで、「複数の第１発光素子群１４は、＋Ｘ軸方向に連続して並んでいる」とは、複数の第１発光素子群１４は、＋Ｘ軸方向に並び、かつ、隣り合う第１発光素子群１４の間に、発光素子１３が配置されていないことをいう。このことは、後述する発光素子群１５，１６，１７において、同様である。例えば、図２に示すように、隣り合う第１発光素子群１４において、−Ｘ軸方向に位置する第１発光素子群１４を構成する発光素子１３のうち最も＋Ｘ軸方向に位置する発光素子１３と、＋Ｘ軸方向に位置する第１発光素子群１４を構成する発光素子１３のうち最も−Ｘ軸方向に位置する発光素子１３と、の間に、発光素子１３は、配置されていない。
【００３１】
第１発光素子１３ａおよび第２発光素子１３ｂは、第２発光素子群１５を構成している。第２発光素子群１５は、第１発光素子１３ａを１つ有している。第２発光素子群１５は、第２発光素子１３ｂを１つ有している。第２発光素子群１５において、第２発光素子１３ｂおよび第１発光素子１３ａは、この順で＋Ｘ軸方向に並んでいる。図示の例では、第１発光素子１３ａおよび第２発光素子１３ｂは、第２発光素子１３ｂおよび第１発光素子１３ａがこの順で＋Ｘ軸方向に並んで構成される第２発光素子群１５に属している。
【００３２】
第２発光素子群１５は、複数設けられている。複数の第２発光素子群１５は、＋Ｘ軸方向に連続して並んでいる。
【００３３】
第１発光素子群１４と第２発光素子群１５とは、第１方向と直交する第２方向に交互に配置されている。第２方向は、例えば、−Ｙ軸方向である。＋Ｘ軸方向に複数並んだ第１発光素子群１４は、第１の列１４ａを構成している。第１の列１４ａは、複数設けられている。＋Ｘ軸方向に複数並んだ第２発光素子群１５は、第２の列１５ａを構成している。第２の列１５ａは、複数設けられている。第１の列１４ａと第２の列１５ａとは、−Ｙ軸方向に交互に配置されている。第１方向および第２方向に直交する方向、すなわち−Ｚ軸方向から見た平面視において、隣り合う発光素子１３は、互いに離間して設けられていてもよいし、互いに接して設けられていてもよい。
【００３４】
第１発光素子１３ａと第２発光素子１３ｂとは、例えば、＋Ｘ軸方向に交互に配置されている。第１発光素子１３ａと第２発光素子１３ｂとは、例えば、−Ｙ軸方向に交互に配置されている。
【００３５】
第１発光素子１３ａの数と第２発光素子１３ｂの数とは、例えば、同じである。図示の例では、光源１０は、Ｘ軸に沿って８つの発光素子１３が並び、Ｙ軸に沿って８つの発光素子１３が並ぶ８×８の行列の発光素子１３を有している。なお、光源１０は、発光素子１３の形状が正方形の場合、ｎを４以上の自然数とすると、ｎ×ｎの行列の発光素子１３を有していればよい。
【００３６】
複数の第１発光素子１３ａは、例えば、配置面１２の中心Ｃに対して、点対称となるように配置されている。複数の第２発光素子１３ｂは、例えば、中心Ｃに対して、点対称となるように配置されている。複数の第１発光素子１３ａは、例えば、市松模様状に配置されている。複数の第２発光素子１３ｂは、例えば、市松模様状に配置されている。
【００３７】
第１発光素子１３ａの形状と第２発光素子１３ｂとの形状は、例えば、同じである。複数の発光素子１３の形状は、例えば、互いに同じである。第１発光素子１３ａの大きさと第２発光素子１３ｂの大きさとは、例えば、同じである。複数の発光素子１３の大きさは、例えば、互いに同じである。第１発光素子１３ａの発光特性と第２発光素子１３ｂの発光特性は、例えば、同じである。複数の発光素子１３の発光特性は、例えば、互いに同じである。なお、発光特性としては、発光強度、射出された光の配光角度が挙げられる。
【００３８】
ここで、図３は、第１発光素子１３ａのパルス発光を説明するための図である。図４は、第２発光素子１３ｂのパルス発光を説明するための図である。図５は、第１発光素子１３ａおよび第２発光素子１３ｂのパルス発光を説明するための図である。
【００３９】
制御部７０は、複数の第１発光素子１３ａを、図３に示すように、同じタイミングで、同じ期間に渡って、間欠的にパルス発光させる。複数の第１発光素子１３ａは、期間Ｔ１は発光し、期間Ｔ２は発光しないという状態を繰り返す。制御部７０は、第１発光素子１３ａを所定の周期Ｐでパルス発光させる。図示の例では、Ｐ＝Ｔ１＋Ｔ２である。
【００４０】
制御部７０は、複数の第２発光素子１３ｂを、図４に示すように、同じタイミングで、同じ期間に渡って、間欠的にパルス発光させる。複数の第２発光素子１３ｂは、期間Ｔ２は発光し、期間Ｔ１は発光しないという状態を繰り返す。複数の第２発光素子１３ｂは、所定の周期Ｐにおいて、第１発光素子１３ａが発光してから期間Ｔ１後のタイミングで発光する。制御部７０は、第２発光素子１３ｂを所定の周期Ｐでパルス発光させる。
【００４１】
制御部７０は、図５に示すように、第１発光素子１３ａが発光する期間Ｔ１には第２発光素子１３ｂは発光せず、逆に、第１発光素子１３ａが発光しない期間Ｔ２には第２発光素子１３ｂが発光するという具合に、発光素子１３ａ，１３ｂを交互にパルス発光させる。なお、Ｔ１＝Ｔ２と設定することが好ましい。制御部７０は、図５に示すように、光源１０に一定の強度の光を射出させる。
【００４２】
発光に伴って発生した熱によって発光素子１３の温度は上昇するが、発光しない非発光期間には放熱するため、発光素子１３の温度上昇を低減して発光効率の低下を低減することができ、大きな光強度を得ることができる。したがって、パルス発光の場合は、連続発光の場合よりも大きな電流で発光素子１３を発光させることにより、連続発光の場合よりも大きな光強度を得ることができる。図３〜図５および後述する図７〜図１０、図１７〜図２０では、連続発光の場合の光強度を破線で示している。
【００４３】
第１発光素子１３ａおよび第２発光素子１３ｂにおいて、発光期間が重ならないように、また、非発光期間が重ならないように、期間Ｔ１，Ｔ２を設定することが好ましい。発光期間が重なると光量が増え、非発光期間が重なると光量が低下するため、このような現象が周期的に繰り返されると、フリッカーとして視認され、画質低下の原因となるためである。ただし、期間Ｔ１，Ｔ２を１／６０秒以下に設定すれば、フリッカーの視認性は低下するため、上記のような発光状態であってもよい。
【００４４】
プロジェクター１００は、例えば、以下の特徴を有する。
【００４５】
プロジェクター１００では、複数の発光素子１３を所定の周期Ｐで発光させ、複数の発光素子１３のうちの第１発光素子１３ａおよび第２発光素子１３ｂを交互に発光させる制御部７０を有し、第１発光素子１３ａおよび第２発光素子１３ｂは、第１発光素子群１４を構成し、第１発光素子群１４は、第１発光素子１３ａを１つ有し、第２発光素子１３ｂを１つ有し、第１発光素子群１４において、第１発光素子１３ａおよび第２発光素子１３ｂは、＋Ｘ軸方向に並び、第１発光素子群１４は、複数設けられ、複数の第１発光素子群１４は、＋Ｘ軸方向に連続して並んでいる。
【００４６】
そのため、プロジェクター１００では、例えば、第１発光素子が配置面の中心よりも＋Ｘ軸方向にのみ設けられ、第２発光素子が配置面の中心よりも−Ｘ軸方向にのみ設けられているというように第１発光素子および第２発光素子が偏って設けられている場合に比べて、液晶ライトバルブ５０を照明する光の入射角度の分布の違いを、複数の第１発光素子１３ａと複数の第２発光素子１３ｂとで、小さくすることができる。したがって、プロジェクター１００では、フリッカーの発生および画質の低下を抑制することできる。よって、明るく高品位の投射画像を得ることができる。
【００４７】
例えば、プロジェクター１００では、第１発光素子、第１発光素子、第２発光素子、第１発光素子と、この順で繰り返し＋Ｘ軸方向に並んでいる場合に比べて、液晶ライトバルブ５０を照明する光の入射角度の分布の違いを、複数の第１発光素子１３ａと複数の第２発光素子１３ｂとで、小さくすることができる。
【００４８】
プロジェクター１００では、第１発光素子群１４において、第１発光素子１３ａおよび第２発光素子１３ｂは、この順で＋Ｘ軸方向に並び、第１発光素子１３ａおよび第２発光素子１３ｂは、第２発光素子群１５を構成し、第２発光素子群１５は、第１発光素子１３ａを１つ有し、第２発光素子１３ｂを１つ有し、第２発光素子群１５において、第２発光素子１３ｂおよび第１発光素子１３ａは、この順で＋Ｘ軸方向に並び、第２発光素子群１５は、複数設けられ、複数の第２発光素子群１５は、＋Ｘ軸方向に連続して並び、第１発光素子群１４と第２発光素子群１５とは、−Ｙ軸方向に交互に配置されている。そのため、プロジェクター１００では、液晶ライトバルブ５０を照明する光の入射角度の分布の違いを、複数の第１発光素子１３ａと複数の第２発光素子１３ｂとで、よりいっそう小さくすることができる。
【００４９】
プロジェクター１００では、第１発光素子１３ａの数と第２発光素子１３ｂの数とは、同じである。そのため、プロジェクター１００では、第１発光素子の数と第２発光素子の数とが異なる場合に比べて、液晶ライトバルブ５０を照明する光の入射角度の分布の違いを、複数の第１発光素子１３ａと複数の第２発光素子１３ｂとで、小さくすることができる。
【００５０】
プロジェクター１００では、制御部７０は、光源１０に一定の強度の光を射出させる。制御部７０が光源１０に一定の強度の光を射出させる場合、プロジェクター１００では、第１発光素子１３ａが発光する期間Ｔ１と第２発光素子１３ｂが発光する期間Ｔ２とが重なって発光素子１３ａ，１３ｂとが同時に発光したり、期間Ｔ１と期間Ｔ２とが連続せず発光素子１３ａ，１３ｂとが同時に発光しなかったりすることがない。
【００５１】
１．２．  変形例
１．２．１．  第１変形例
次に、第１実施形態の第１変形例に係るプロジェクター１１０について、図面を参照しながら説明する。図６は、第１実施形態の第１変形例に係るプロジェクター１１０の光源１０を模式的に示す平面図である。
【００５２】
以下、第１実施形態の第１変形例に係るプロジェクター１１０において、上述した第１実施形態に係るプロジェクター１００の例と異なる点について説明し、同様の点については説明を省略する。このことは、後述する第１実施形態に係る第２〜第５変形例に係るプロジェクターにおいて同様である。
【００５３】
上述したプロジェクター１００では、図２に示すように、複数の発光素子１３は、第１発光素子１３ａおよび第２発光素子１３ｂのうちのいずれかであった。これに対し、プロジェクター１１０では、図６に示すように、複数の発光素子１３は、第１発光素子１３ａ、第２発光素子１３ｂ、および第３発光素子１３ｃのうちのいずれかである。
【００５４】
制御部７０は、複数の発光素子１３のうちの第１発光素子１３ａ、第２発光素子１３ｂ、第３発光素子１３ｃを順次発光させる。
【００５５】
第１発光素子１３ａ、第２発光素子１３ｂ、第３発光素子１３ｃは、同じ色の色光を射出する。第１発光素子１３ａと第２発光素子１３ｂと第３発光素子１３ｃとは、同じ波長の光を射出する。第３発光素子１３ｃは、複数設けられている。
【００５６】
第１発光素子１３ａ、第２発光素子１３ｂ、および第３発光素子１３ｃは、第１発光素子群１４を構成している。第１発光素子群１４は、第３発光素子１３ｃを１つ有している。第１発光素子群１４において、第１発光素子１３ａ、第２発光素子１３ｂ、および第３発光素子１３ｃは、＋Ｘ軸方向に並んでいる。図示の例では、第１発光素子１３ａ、第２発光素子１３ｂ、および第３発光素子１３ｃは、第１発光素子１３ａ、第２発光素子１３ｂ、および第３発光素子１３ｃがこの順で＋Ｘ軸方向に並んで構成される第１発光素子群１４に属している。
【００５７】
第１発光素子１３ａ、第２発光素子１３ｂ、および第３発光素子１３ｃは、第２発光素子群１５を構成している。第２発光素子群１５は、第３発光素子１３ｃを１つ有している。図示の例では、第１発光素子１３ａ、第２発光素子１３ｂ、および第３発光素子１３ｃは、第２発光素子１３ｂ、第３発光素子１３ｃ、および第１発光素子１３ａがこの順で＋Ｘ軸方向に並んで構成される第２発光素子群１５に属している。
【００５８】
第１発光素子１３ａ、第２発光素子１３ｂ、および第３発光素子１３ｃは、第３発光素子群１６を構成している。第３発光素子群１６は、第１発光素子１３ａを１つ有している。第３発光素子群１６は、第２発光素子１３ｂを１つ有している。第３発光素子群１６は、第３発光素子１３ｃを１つ有している。図示の例では、第１発光素子１３ａ、第２発光素子１３ｂ、および第３発光素子１３ｃは、第３発光素子１３ｃ、第１発光素子１３ａ、および第２発光素子１３ｂがこの順で＋Ｘ軸方向に並んで構成される第３発光素子群１６に属している。
【００５９】
第３発光素子群１６は、複数設けられている。複数の第３発光素子群１６は、＋Ｘ軸方向に連続して並んでいる。
【００６０】
第１発光素子群１４、第２発光素子群１５、および第３発光素子群１６は、第１発光素子群１４、第３発光素子群１６、および第２発光素子群１５の順で−Ｙ軸方向に並んでいる。＋Ｘ軸方向に複数並んだ第３発光素子群１６は、第３の列１６ａを構成している。第３の列１６ａは、複数設けられている。第１の列１４ａ、第２の列１５ａ、および第３の列１６ａは、第１の列１４ａ、第３の列１６ａ、および第２の列１５ａの順で−Ｙ軸方向に並んでいる。
【００６１】
第１発光素子１３ａおよび第２発光素子１３ｂと、第３発光素子１３ｃとは、＋Ｘ軸方
向に交互に配置されている。第１発光素子１３ａおよび第３発光素子１３ｃと、第２発光素子１３ｂとは、−Ｙ軸方向に交互に配置されている。
【００６２】
第１発光素子１３ａの数と、第２発光素子１３ｂの数と、第３発光素子１３ｃの数とは、例えば、同じである。光源１０は、１２×１２の行列の発光素子１３を有している。図示の例では、複数の第１発光素子１３ａは、中心Ｃを通りＸ軸およびＹ軸に対して４５°傾いた仮想直線（以下、「４５°傾斜仮想直線」という）に対して、線対称に設けられている。複数の第２発光素子１３ｂは、４５°傾斜仮想直線に対して、線対称に設けられている。複数の第３発光素子１３ｃは、４５°傾斜仮想直線に対して、線対称に設けられている。
【００６３】
ここで、図７は、第１発光素子１３ａのパルス発光を説明するための図である。図８は、第２発光素子１３ｂのパルス発光を説明するための図である。図９は、第３発光素子１３ｃのパルス発光を説明するための図である。図１０は、第１発光素子１３ａ、第２発光素子１３ｂ、および第３発光素子１３ｃのパルス発光を説明するための図である。
【００６４】
図７〜図１０に示すように、制御部７０は、発光素子１３ａ，１３ｂ，１３ｃを所定の周期Ｐでパルス発光させる。
【００６５】
所定の周期Ｐにおいて、第１発光素子１３ａは、期間Ｔ１で発光する。第２発光素子１３ｂは、期間Ｔ２で発光する。第３発光素子１３ｃは、期間Ｔ３で発光する。図示の例では、Ｐ＝Ｔ１＋Ｔ２＋Ｔ３である。
【００６６】
制御部７０は、複数の第１発光素子１３ａを、同じタイミングで、同じ期間に渡って、間欠的にパルス発光させる。第１発光素子１３ａは、期間Ｔ１は発光し、期間Ｔ２＋Ｔ３は発光しないという状態を繰り返す。
【００６７】
制御部７０は、複数の第２発光素子１３ｂを、同じタイミングで、同じ期間に渡って、間欠的にパルス発光させる。第２発光素子１３ｂは、期間Ｔ２は発光し、期間Ｔ１＋Ｔ３は発光しないという状態を繰り返す。第２発光素子１３ｂは、所定の周期Ｐにおいて、第１発光素子１３ａが発光してから期間Ｔ１後のタイミングで発光する。
【００６８】
制御部７０は、複数の第３発光素子１３ｃを、同じタイミングで、同じ期間に渡って、間欠的にパルス発光させる。第３発光素子１３ｃは、期間Ｔ３は発光し、期間Ｔ１＋Ｔ２は発光しないという状態を繰り返す。第３発光素子１３ｃは、所定の周期Ｐにおいて、第１発光素子１３ａが発光してから期間Ｔ１＋Ｔ２後のタイミングで発光する。なお、Ｔ１＝Ｔ２＝Ｔ３と設定することが好ましい。
【００６９】
プロジェクター１１０では、制御部７０は、複数の発光素子１３のうちの第１発光素子１３ａ、第２発光素子１３ｂ、および第３発光素子１３ｃを順次発光させ、第１発光素子群１４は、第３発光素子１３ｃを１つ有し、第１発光素子群１４において、第１発光素子１３ａ、第２発光素子１３ｂ、および第３発光素子１３ｃは、＋Ｘ軸方向に並んでいる。そのため、プロジェクター１１０では、複数の発光素子１３が第１発光素子１３ａおよび第２発光素子１３ｂのうちのいずれかである場合に比べて、第１発光素子１３ａの非発光期間、および第２発光素子１３ｂの非発光期間を長く設定することができる。これにより、発光素子１３の温度上昇をより低減して発光効率の低下を低減することができ、より大きな光強度を得ることができる。
【００７０】
さらに、プロジェクター１１０では、液晶ライトバルブ５０を照明する光の入射角度の分布の違いを、複数の第１発光素子１３ａと複数の第２発光素子１３ｂと複数の第３発光
素子１３ｃで、小さくすることができる。
【００７１】
ただし、複数の発光素子１３が発光素子１３ａ，１３ｂのうちのいずれかである場合の方が、複数の発光素子１３が発光素子１３ａ，１３ｂ，１３ｃのいずれかのうちのいずれかである場合に比べて、例えば、液晶ライトバルブ５０を照明する光の入射角度の分布の違いを、複数の第１発光素子１３ａと複数の第２発光素子１３ｂとで、小さくすることができる。
【００７２】
１．２．２．  第２変形例
次に、第１実施形態の第２変形例に係るプロジェクター１２０について、図面を参照しながら説明する。図１１は、第１実施形態の第２変形例に係るプロジェクター１２０の光源１０を模式的に示す平面図である。図１２は、第１実施形態の第２変形例に係るプロジェクター１２０の光源１０を模式的に示す図１１のＸＩＩ−ＸＩＩ線断面図である。
【００７３】
プロジェクター１２０では、図１１および図１２に示すように、光源１０は、レンズアレイ１２２を有している点において、上述したプロジェクター１００と異なる。
【００７４】
レンズアレイ１２２は、レンズ１２２ａを有している。レンズ１２２ａは、複数の発光素子１３に対応して複数設けられている。１つの発光素子１３から射出された光は、１つのレンズ１２２ａに入射する。レンズ１２２ａは、例えば、光源１０から射出された光を略平行化させるコリメートレンズである。例えば発光素子１３から射出された光の配光角度がランバート配光のように大きい場合や、複数の発光素子１３により構成されるアレイの大きさが、液晶ライトバルブ５０に比べて大きい場合などには、レンズ１２２ａによって、発光素子１３ａから射出された光の配光角度を調整することが好ましい。
【００７５】
なお、図示はしないが、複数の発光素子１３から射出された光が１つのレンズ１２２ａに入射してもよい。また、１つの発光素子１３から射出された光が入射するレンズ１２２ａと、複数の発光素子１３から射出された光が入射するレンズ１２２ａと、を備えていてもよい。
【００７６】
１．２．３．  第３変形例
次に、第１実施形態の第３変形例に係るプロジェクター１３０について、図面を参照しながら説明する。図１３は、第１実施形態の第３変形例に係るプロジェクター１３０の光源１０を模式的に示す平面図である。
【００７７】
上述したプロジェクター１００では、図２に示すように、発光素子１３の形状は、正方形であった。これに対し、プロジェクター１３０では、図１３に示すように、発光素子１３の形状は、三角形である。
【００７８】
プロジェクター１３０では、第２発光素子群１５は、構成されていない。複数の第１発光素子群１４は、＋Ｘ軸方向に並び、複数の第１の列１４ａは、−Ｙ軸方向に並んでいる。
【００７９】
なお、発光素子１３の形状は、正方形や三角形に限定されない。ただし、光源１０の発光密度を考慮すると、発光素子１３は、隣り合う発光素子１３の距離を小さくできる形状であることが好ましい。
【００８０】
例えば、ナノコラム発光素子、ＬＥＤ、ＯＬＥＤは、発光素子１３の射出面の形状を、矩形以外の形状に形成し易すい。そのため、射出面の形状の自由度が高いので、液晶ライトバルブ５０を照明する光の入射角度の分布の違いを、複数の第１発光素子１３ａと複数
の第２発光素子１３ｂとで、小さくし易い。
【００８１】
１．２．４．  第４変形例
次に、第１実施形態の第４変形例に係るプロジェクター１４０について、図面を参照しながら説明する。図１４は、第１実施形態の第４変形例に係るプロジェクター１４０の光源１０を模式的に示す平面図である。
【００８２】
上述したプロジェクター１００では、図２に示すように、発光素子１３の形状は、正方形であった。これに対し、プロジェクター１４０では、図１４に示すように、発光素子１３の形状は、長方形である。
【００８３】
プロジェクター１４０では、第２発光素子群１５は、構成されていない。複数の第１発光素子群１４は、＋Ｘ軸方向に並び、第１の列１４ａを１つ構成している。
【００８４】
１．２．５．  第５変形例
次に、第１実施形態の第５変形例に係るプロジェクターについて説明する。第１実施形態の第５変形例に係るプロジェクターでは、隣り合う発光素子１３において、発光素子１３を構成する部材が共通の部材である点において、上述したプロジェクター１００と異なる。
【００８５】
第５変形例に係るプロジェクターでは、複数の発光素子１３において、例えば、発光素子１３の基板を共通の部材としてもよい。また、発光素子１３がナノコラム発光素子である場合、例えば、発光素子１３ごとに独立して柱状結晶体に電流を流すことができれば、隣り合う発光素子１３において、複数の柱状結晶体と、隣り合う柱状結晶体の間に設けられた層と、を有するフォトニック結晶層を、共通の層としてもよい。
【００８６】
２．  第２実施形態
次に、第２実施形態に係るプロジェクターについて、図面を参照しながら説明する。図１５は、第２実施形態に係るプロジェクター２００を模式的に示す図である。
【００８７】
以下、第２実施形態に係るプロジェクター２００において、上述した第１実施形態に係るプロジェクター１００の例と異なる点について説明し、同様の点については説明を省略する。
【００８８】
上述したプロジェクター１００では、図２に示すように、複数の発光素子１３は、第１発光素子１３ａおよび第２発光素子１３ｂのうちのいずれかであった。これに対し、プロジェクター２００では、図１５に示すように、複数の発光素子１３は、第１発光素子１３ａ、第２発光素子１３ｂ、第３発光素子１３ｃ、第４発光素子１３ｄ、第５発光素子１３ｅ、および第６発光素子１３ｆのうちのいずれかである。
【００８９】
制御部７０は、複数の発光素子１３のうちの第１発光素子１３ａ、第２発光素子１３ｂ、第３発光素子１３ｃ、第４発光素子１３ｄ、第５発光素子１３ｅ、および第６発光素子１３ｆを順次発光させる。
【００９０】
第１発光素子１３ａおよび第２発光素子１３ｂは、第１波長の光を射出する。第１波長の光は、例えば、赤色光である。第３発光素子１３ｃおよび第４発光素子１３ｄは、第１波長と異なる第２波長の光を射出する。第２波長の光は、例えば、緑色光である。第５発光素子１３ｅおよび第６発光素子１３ｆは、第１波長および第２波長と異なる第３波長の光を射出する。第３波長の光は、例えば、青色光である。
【００９１】
第１発光素子１３ａ、第２発光素子１３ｂ、第３発光素子１３ｃ、第４発光素子１３ｄ、第５発光素子１３ｅ、第６発光素子１３ｆは、第１発光素子群１４を構成している。第１発光素子群１４は、第３発光素子１３ｃを１つ有している。第１発光素子群１４は、第４発光素子１３ｄを１つ有している。第１発光素子群１４は、第５発光素子１３ｅを１つ有している。第１発光素子群１４は、第６発光素子１３ｆを１つ有している。
【００９２】
第１発光素子群１４において、第１発光素子１３ａ、第２発光素子１３ｂ、第３発光素子１３ｃ、第４発光素子１３ｄ、第５発光素子１３ｅ、第６発光素子１３ｆは、＋Ｘ軸方向に並んでいる。
【００９３】
図示の例では、発光素子１３ａ，１３ｂ，１３ｃ，１３ｄ，１３ｅ，１３ｆは、第１発光素子１３ａ、第３発光素子１３ｃ、第５発光素子１３ｅ、第２発光素子１３ｂ、第４発光素子１３ｄ、および第６発光素子１３ｆがこの順で＋Ｘ軸方向に並んで構成される第１発光素子群１４に属している。
【００９４】
第１発光素子１３ａ、第２発光素子１３ｂ、第３発光素子１３ｃ、第４発光素子１３ｄ、第５発光素子１３ｅ、第６発光素子１３ｆは、第４発光素子群１７を構成している。第４発光素子群１７は、第１発光素子１３ａを１つ有している。第４発光素子群１７は、第２発光素子１３ｂを１つ有している。第４発光素子群１７は、第３発光素子１３ｃを１つ有している。第４発光素子群１７は、第４発光素子１３ｄを１つ有している。第４発光素子群１７は、第５発光素子１３ｅを１つ有している。第４発光素子群１７は、第６発光素子１３ｆを１つ有している。
【００９５】
図示の例では、発光素子１３ａ，１３ｂ，１３ｃ，１３ｄ，１３ｅ，１３ｆは、第２発光素子１３ｂ、第４発光素子１３ｄ、および第６発光素子１３ｆ、第１発光素子１３ａ、第３発光素子１３ｃ、および第５発光素子１３ｅがこの順で＋Ｘ軸方向に並んで構成される第４発光素子群１７に属している。
【００９６】
第４発光素子群１７は、複数設けられている。複数の第４発光素子群１７は、＋Ｘ軸方向に連続して並んでいる。
【００９７】
＋Ｘ軸方向に複数並んだ第４発光素子群１７は、第４の列１７ａを構成している。第４の列１７ａは、複数設けられている。第１の列１４ａと第４の列１７ａとは、−Ｙ軸方向に交互に配置されている。
【００９８】
図示の例では、第１発光素子１３ａと第２発光素子１３ｂとは、−Ｙ軸方向に交互に配置されている。第３発光素子１３ｃと第４発光素子１３ｄとは、−Ｙ軸方向に交互に配置されている。第５発光素子１３ｅと第６発光素子１３ｆとは、−Ｙ軸方向に交互に配置されている。このように、−Ｙ軸方向では、同じ色の色光を射出する発光素子１３が交互に並んでいる。
【００９９】
第１発光素子１３ａの数と、第２発光素子１３ｂの数と、第３発光素子１３ｃの数と、第４発光素子１３ｄの数と、第５発光素子１３ｅの数と、第６発光素子１３ｆの数とは、例えば、同じである。光源１０は、２４×８の行列の発光素子１３を有している。
【０１００】
ここで、図１６は、発光素子１３ａ，１３ｂの発光タイミングを説明するための図である。図１７は、発光素子１３ｃ，１３ｄの発光タイミングを説明するための図である。図１８は、発光素子１３ｅ，１３ｆの発光タイミングを説明するための図である。図１９は、発光素子１３ａ，１３ｂ，１３ｃ，１３ｄ，１３ｅ，１３ｆの発光タイミングを説明するための図である。
【０１０１】
図１６〜図１９に示すように、制御部７０は、発光素子１３ａ，１３ｂ，１３ｃ，１３ｄ，１３ｅ，１３ｆを所定の周期Ｐでパルス発光させる。
【０１０２】
所定の周期Ｐにおいて、第１発光素子１３ａは、期間Ｔ１で発光する。第２発光素子１３ｂは、期間Ｔ２で発光する。第３発光素子１３ｃは、期間Ｔ３で発光する。第４発光素子１３ｄは、期間Ｔ４で発光する。第５発光素子１３ｅは、期間Ｔ５で発光する。第６発光素子１３ｆは、期間Ｔ６で発光する。図示の例では、Ｐ＝Ｔ１＋Ｔ２＋Ｔ３＋Ｔ４＋Ｔ５＋Ｔ６である。
【０１０３】
制御部７０は、複数の第１発光素子１３ａを、同じタイミングで、同じ期間に渡って、間欠的にパルス発光させる。複数の第１発光素子１３ａは、期間Ｔ１は発光し、期間Ｔ２＋Ｔ３＋Ｔ４＋Ｔ５＋Ｔ６は発光しないという状態を繰り返す。
【０１０４】
制御部７０は、複数の第２発光素子１３ｂを、同じタイミングで、同じ期間に渡って、間欠的にパルス発光させる。第２発光素子１３ｂは、期間Ｔ２は発光し、期間Ｔ１＋Ｔ３＋Ｔ４＋Ｔ５＋Ｔ６は発光しないという状態を繰り返す。第２発光素子１３ｂは、所定の周期Ｐにおいて、第１発光素子１３ａが発光してから期間Ｔ１後のタイミングで発光する。
【０１０５】
制御部７０は、複数の第３発光素子１３ｃを、同じタイミングで、同じ期間に渡って、間欠的にパルス発光させる。第３発光素子１３ｃは、期間Ｔ３は発光し、期間Ｔ１＋Ｔ２＋Ｔ４＋Ｔ５＋Ｔ６は発光しないという状態を繰り返す。第３発光素子１３ｃは、所定の周期Ｐにおいて、第１発光素子１３ａが発光してから期間Ｔ１＋Ｔ２後のタイミングで発光する。
【０１０６】
制御部７０は、複数の第４発光素子１３ｄを、同じタイミングで、同じ期間に渡って、間欠的にパルス発光させる。第４発光素子１３ｄは、期間Ｔ４は発光し、期間Ｔ１＋Ｔ２＋Ｔ３＋Ｔ５＋Ｔ６は発光しないという状態を繰り返す。第４発光素子１３ｄは、所定の周期Ｐにおいて、第１発光素子１３ａが発光してから期間Ｔ１＋Ｔ２＋Ｔ３後のタイミングで発光する。
【０１０７】
制御部７０は、複数の第５発光素子１３ｅを、同じタイミングで、同じ期間に渡って、間欠的にパルス発光させる。第５発光素子１３ｅは、期間Ｔ５は発光し、期間Ｔ１＋Ｔ２＋Ｔ３＋Ｔ４＋Ｔ６は発光しないという状態を繰り返す。第５発光素子１３ｅは、所定の周期Ｐにおいて、第１発光素子１３ａが発光してから期間Ｔ１＋Ｔ２＋Ｔ３＋Ｔ４後のタイミングで発光する。
【０１０８】
制御部７０は、複数の第６発光素子１３ｆを、同じタイミングで、同じ期間に渡って、間欠的にパルス発光させる。第６発光素子１３ｆは、期間Ｔ６は発光し、期間Ｔ１＋Ｔ２＋Ｔ３＋Ｔ４＋Ｔ５は発光しないという状態を繰り返す。第６発光素子１３ｆは、所定の周期Ｐにおいて、第１発光素子１３ａが発光してから期間Ｔ１＋Ｔ２＋Ｔ３＋Ｔ４＋Ｔ５後のタイミングで発光する。なお、Ｔ１＝Ｔ２＝Ｔ３＝Ｔ４＝Ｔ５＝Ｔ６と設定することが好ましい。
【０１０９】
プロジェクター２００では、第１発光素子１３ａおよび第２発光素子１３ｂは、第１波長の光を射出し、第３発光素子１３ｃおよび第４発光素子１３ｄは、第１波長と異なる第２波長の光を射出し、第５発光素子１３ｅおよび第６発光素子１３ｆは、第１波長および第２波長と異なる第３波長の光を射出する。そのため、プロジェクター２００では、カラー表示が可能となる。
【０１１０】
さらに、プロジェクター２００では、液晶ライトバルブ５０を照明する光の入射角度の分布の違いを、複数の第１発光素子１３ａと複数の第２発光素子１３ｂとで、小さくすることができ、複数の第３発光素子１３ｃと複数の第４発光素子１３ｄとで、小さくすることができ、複数の第５発光素子１３ｅと複数の第６発光素子１３ｆとで、小さくすることができる。
【０１１１】
３．  第３実施形態
次に、第３実施形態に係るプロジェクターについて、図面を参照しながら説明する。図２０は、第３実施形態に係るプロジェクター３００を模式的に示す図である。
【０１１２】
以下、第３実施形態に係るプロジェクター３００において、上述した第１実施形態に係るプロジェクター１００の例と異なる点について説明し、同様の点については説明を省略する。
【０１１３】
上述したプロジェクター１００では、図１に示すように、光源１０を１つ有し、単色表示のプロジェクターであった。これに対し、プロジェクター３００は、図２０に示すように、３つの光源１０を有し、カラー表示のプロジェクターである。３つの光源１０の各々は、赤色光、緑色光、および青色光を射出する。
【０１１４】
さらに、プロジェクター３００は、ダイクロイックプリズム８０，８２と、ダイクロイックミラー９０，９１と、ミラー９２，９３，９４と、リレーレンズ９５，９６と、赤色光、緑色光、および青色光の各々が入射する液晶ライトバルブ５０と、を有している。
【０１１５】
３つの光源１０の各々から射出された光は、コリメートレンズ２０を透過して略平行化され、ダイクロイックプリズム８０に入射する。
【０１１６】
ダイクロイックプリズム８０は、３つの光源１０の各々から射出された光を合成する。ダイクロイックプリズム８０は、例えば、４つの直角プリズムを貼り合わせて形成され、その内面に赤色光を反射する誘電体多層膜と青色光を反射する誘電体多層膜とが十字状に配置されたプリズムである。
【０１１７】
ダイクロイックプリズム８０から射出された光は、レンズアレイ３０，３２、および重畳レンズ４０を透過して、ダイクロイックミラー９０に入射する。ダイクロイックミラー９０は、赤色光を反射させ、緑色光および青色光を透過させる。
【０１１８】
ダイクロイックミラー９０において反射された赤色光は、ミラー９２で反射した後、平行化レンズ２２を透過して、液晶ライトバルブ５０に入射する。
【０１１９】
ダイクロイックミラー９０を透過した緑色光は、ダイクロイックミラー９１で反射された後、平行化レンズ２２を透過して、液晶ライトバルブ５０に入射する。
【０１２０】
ダイクロイックミラー９０を透過した青色光は、ダイクロイックミラー９１、リレーレンズ９５を透過した後、ミラー９３で反射され、さらにリレーレンズ９６を透過した後、ミラー９４で反射され、さらに平行化レンズ２２を透過して、液晶ライトバルブ５０に入射する。
【０１２１】
液晶ライトバルブ５０に入射した光は、画像情報に応じて変調され画像光として射出される。３つの液晶ライトバルブ５０から射出された光は、ダイクロイックプリズム８２に入射する。ダイクロイックプリズム８２は、３つの液晶ライトバルブ５０の各々から射出
された光を合成してカラーの画像光を生成する。ダイクロイックプリズム８２は、例えば、４つの直角プリズムを貼り合わせて形成され、その内面に赤色光を反射する誘電体多層膜と青色光を反射する誘電体多層膜とが十字状に配置されたプリズムである。
【０１２２】
ダイクロイックプリズム８２から射出された画像光は、投射レンズ６０に入射する。投射レンズ６０は、液晶ライトバルブ５０によって形成された画像を、拡大して、図示せぬスクリーンに投射させる。
【０１２３】
４．  実施例および比較例
以下に実施例および比較例を示し、本発明をより具体的に説明する。なお、本発明は、以下の実施例および比較例によって何ら限定されるものではない。
【０１２４】
光線追跡法によって、第１発光素子および第２発光素子ごとに液晶ライトバルブに入射する光の配光分布、すなわち角度分布を求めた。光線追跡法は、発光素子の発光特性に基づいて多数の光線を飛ばし、評価対象に入射する強度や角度などの光線情報を求める光学シミュレーションである。
【０１２５】
４．１．  実施例
実施例として、図１に準じた構成のモデルを用意した。レンズアレイは、６×１０＝６０個のレンズから構成されている。光源は、４×４の行列の発光素子を有し、図２に示すように、第１発光素子および第２発光素子は、＋Ｘ軸方向に交互に配置され、かつ、−Ｙ軸方向に交互に配置されている。
【０１２６】
図２１は、実施例の第１発光素子から射出された光の角度分布を示す図である。図２３は、実施例の第２発光素子から射出された光の角度分布を示す図である。
【０１２７】
なお、図２１および図２２において、破線で示した円Ａの位置は、液晶ライトバルブの表示領域（表示面）の法線に対して１４°傾斜して入射する光を示す。円Ａから内側に向かうほど、表示領域（表示面）の法線に対する角度が小さくなり、円Ａの中心の位置は、表示領域（表示面）の法線と平行な光を示す。また、図２１および図２２では、光の角度分布を、極座標系で示している。また、図２１および図２２では、白色部分ほど光強度が大きいことを示している。これらのことは、後述する図２３および図２４において、同様である。
【０１２８】
図２１および図２２より、第１発光素子から射出された光の角度分布と、第２発光素子から射出された光の角度分布とは、非常に似ていることがわかった。
【０１２９】
４．２．  比較例
比較例として、右半分に第１発光素子のみを配置させ、左半部に第２発光素子のみを配置させたこと以外は、実施例と同様のモデルを用意した。
【０１３０】
図２３は、比較例の第１発光素子から射出された光の角度分布を示す図である。図２４は、比較例の第２発光素子から射出された光の角度分布を示す図である。
【０１３１】
図２３および図２４より、第１発光素子から射出された光の角度分布と、第２発光素子から射出された光の角度分布とで、大きな違いが確認された。図２１〜図２４により、実施例の方が比較例に比べて、第１発光素子から射出された光の角度分布と、第２発光素子から射出された光の角度分布とで、違いを小さくできることがわかった。
【０１３２】
本発明は、本願に記載の特徴や効果を有する範囲で一部の構成を省略したり、各実施形
態や変形例を組み合わせたりしてもよい。
【０１３３】
本発明は、上述した実施形態に限定されるものではなく、さらに種々の変形が可能である。例えば、本発明は、実施形態で説明した構成と実質的に同一の構成を含む。実質的に同一の構成とは、例えば、機能、方法、および結果が同一の構成、あるいは目的および効果が同一の構成である。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１３４】
１０…光源、１１…基部、１２…配置面、１３…発光素子、１３ａ…第１発光素子、１３ｂ…第２発光素子、１３ｃ…第３発光素子、１３ｄ…第４発光素子、１３ｅ…第５発光素子、１３ｆ…第６発光素子、１４…第１発光素子群、１４ａ…第１の列、１５…第２発光素子群、１５ａ…第２の列、１６…第３発光素子群、１６ａ…第３の列、１７…第４発光素子群、１７ａ…第４の列、２０…コリメートレンズ、２２…平行化レンズ、３０，３２…レンズアレイ、４０…重畳レンズ、５０…液晶ライトバルブ、６０…投射レンズ、７０…制御部、８０，８２…ダイクロイックプリズム、９０，９１…ダイクロイックミラー、９２，９３，９４…ミラー、９５，９６…リレーレンズ、１００，１１０，１２０…プロジェクター、１２２…レンズアレイ、１２２ａ…レンズ、１３０，１４０，２００，３００…プロジェクター
【図１】
2020112699.tif 000003
【図２】
2020112699.tif 000004
【図３】
2020112699.tif 000005
【図４】
2020112699.tif 000006
【図５】
2020112699.tif 000007
【図６】
2020112699.tif 000008
【図７】
2020112699.tif 000009
【図８】
2020112699.tif 000010
【図９】
2020112699.tif 000011
【図１０】
2020112699.tif 000012
【図１１】
2020112699.tif 000013
【図１２】
2020112699.tif 000014
【図１３】
2020112699.tif 000015
【図１４】
2020112699.tif 000016
【図１５】
2020112699.tif 000017
【図１６】
2020112699.tif 000018
【図１７】
2020112699.tif 000019
【図１８】
2020112699.tif 000020
【図１９】
2020112699.tif 000021
【図２０】
2020112699.tif 000022
【図２１】
2020112699.tif 000023
【図２２】
2020112699.tif 000024
【図２３】
2020112699.tif 000025
【図２４】
2020112699.tif 000026